(57)【特許請求の範囲】
【請求項１】
無線通信ネットワーク（１４）で用いる無線電話（１０）であって、
前記無線通信ネットワーク（１４）との通信を確立し維持するように構成されたトランシーバ（１６）と、
位置決定を行うのに用いられる短期ＧＰＳ情報および長期ＧＰＳ情報を捕捉するように構成された全地球測位システム（ＧＰＳ）受信機（１８）と、
前記トランシーバ（１６）と前記ＧＰＳ受信機（１８）とに接続されたコントローラ（２２）と、
を備えた無線電話（１０）において、
前記コントローラ（２２）が、前記ＧＰＳ受信機（１８）を定期的に駆動して短期ＧＰＳ情報および長期ＧＰＳ情報を選択された時間間隔で捕捉するように構成されているとともに、前記無線電話の動作状態に応じて前記ＧＰＳ受信機（１８）の定期的な駆動と前記短期ＧＰＳ情報および長期ＧＰＳ情報の捕捉との時間間隔を変更するように構成されていることを特徴とする、無線電話（１０）。
【請求項２】
前記トランシーバが前記無線通信ネットワーク（１４）からページング・メッセージを受信すると、前記コントローラ（２２）が前記ＧＰＳ受信機（１８）に短期ＧＰＳ情報を直ちに捕捉させる、請求項１記載の無線電話（１０）。
【請求項３】
前記無線電話（１０）が、前記コントローラ（２２）に接続されたキーパッド（２８）を入力装置としてさらに備え、
前記キーパッド（２８）が入力操作されると、前記コントローラ（２２）が前記ＧＰＳ受信機（１８）に直ちに短期ＧＰＳ情報を捕捉させる、請求項１記載の無線電話（１０）。
【請求項４】
前記トランシーバ（１６）が、前記無線ネットワーク（１４）からの所定の信号の信号強度測定を行うように適合されており、前記コントローラ（２２）が、前記信号強度測定に応じて前記短期ＧＰＳ情報および前記長期ＧＰＳ情報の捕捉に影響を与えるようにさらに構成されている、請求項１記載の無線電話（１０）。
【請求項５】
前記コントローラ（２２）が、前記信号強度測定の信号強度の増加を検出すると、前記ＧＰＳ受信機（１８）を作動させ、短期ＧＰＳ情報を直ちに取得するように構成されている、請求項４記載の無線電話（１０）。
【請求項６】
前記コントローラ（２２）が、前記信号強度測定の信号強度がしきい値よりも低いと判断すると、前記短期ＧＰＳ情報の定期的な捕捉を少なくとも１回は行わないように構成されている、請求項４記載の無線電話（１０）。
【請求項７】
前記コントローラ（２２）が、前記信号強度測定の信号強度が増加していないと判断すると、前記短期ＧＰＳ情報の定期的な捕捉を少なくとも１回は行わないように構成されている、請求項４記載の無線電話（１０）。
【請求項８】
前記コントローラ（２２）が、前記信号強度測定の強度がしきい値よりも低いと判断すると、前記長期ＧＰＳ情報の定期的な捕捉を少なくとも１回は遅らすように構成されている、請求項４記載の無線電話（１０）。
【請求項９】
前記コントローラ（２２）が、前記信号強度測定おける信号強度の減少を検出すると、前記長期ＧＰＳ情報の定期的な捕捉を少なくとも１回は遅らすように構成されている、請求項４記載の無線電話（１０）。
【請求項１０】
前記コントローラ（２２）が、前記測定された信号強度測定の信号強度が急速に減少していると判断すると、長期ＧＰＳ情報の捕捉を中止するように構成されている、請求項４記載の無線電話（１０）。
【請求項１１】
前記コントローラ（２２）が、短期ＧＰＳ情報を比較することによって前記無線電話（１０）の動きを決定するように適合されており、前記無線電話（１０）が静止していると判断した場合には、短期ＧＰＳ情報の捕捉の周期を長くする、請求項１記載の無線電話（１０）。
【請求項１２】
前記コントローラ（２２）が、短期ＧＰＳ情報を比較することによって前記無線電話（１０）の動きを決定するように適合されており、前記無線電話（１０）が移動していると判断した場合には、短期ＧＰＳ情報の捕捉の周期を短くする、請求項１記載の無線電話（１０）。
【請求項１３】
電池（５０）によって駆動される無線電話（１０）であって、複数の事象に応じて通信を確立し維持する無線通信トランシーバ（１６）と、短期ＧＰＳ情報および長期ＧＰＳ情報を取得して該短期ＧＰＳ情報および該長期ＧＰＳ情報に部分的に基づいて位置計算する全地球測位システム（ＧＰＳ）受信機（１８）とを有し、前記ＧＰＳ受信機（１８）が、電池電力を消費する「オン」状態と電池電力を消費しない「オフ」状態とを有する、無線電話（１０）において、迅速かつ正確な位置決定を行うために短期ＧＰＳ情報および長期ＧＰＳ情報を維持しながら、前記無線電話（１０）が待機モードにあるとき電池エネルギーを節約する方法であって、
（ａ）前記ＧＰＳ受信機（１８）を前記「オン」状態に変え、
（ｂ）一組の捕捉ＧＰＳ情報測定値を取得し、
（ｃ）前記ＧＰＳ受信機（１８）を前記「オフ」状態に変え、
（ｄ）ステップ（ａ）からステップ（ｃ）を選択された時間間隔で繰り返す
ことによって、前記短期ＧＰＳ情報および前記長期ＧＰＳ情報の少なくとも一つを前記選択された時間間隔で捕捉するステップと、
前記無線電話（１０）の事象に基づいて前記時間間隔を変更するステップと、
を含む、方法。
【請求項１４】
前記短期ＧＰＳ情報および長期ＧＰＳ情報の少なくとも１つを捕捉するステップは、短期ＧＰＳ情報だけを捕捉するステップを含む、請求項１３記載の方法。
【請求項１５】
前記無線通信トランシーバ（１６）においてページング・メッセージが受信されると直ちに前記短期ＧＰＳ情報が捕捉される、請求項１４記載の方法。
【請求項１６】
前記無線電話（１０）が入力装置としてキーパッド（２８）を含み、前記事象の１つが前記無線通信トランシーバ（１６）でのページング・メッセージの受信を含み、前記キーパッドが操作されると直ちに前記短期ＧＰＳ情報が捕捉される、請求項１４記載の方法。
【請求項１７】
前記無線通信トランシーバ（１６）が前記無線ネットワーク（１４）からの信号の信号強度測定を行い、前記信号強度測定の信号強度の増加が検出されると直ちに短期ＧＰＳ情報が捕捉される、請求項１４記載の方法。
【請求項１８】
前記無線通信トランシーバ（１６）が前記無線ネットワーク（１４）からの信号の信号強度測定を行い、前記信号強度測定の信号強度の減少が検出されると、短期ＧＰＳ情報が少ない頻度で捕捉される、請求項１４記載の方法。
【請求項１９】
前記無線通信トランシーバ（１６）が前記無線ネットワーク（１４）からの信号の信号強度測定を行い、前記信号強度測定の信号強度がしきい値よりも低いと判断されると、短期ＧＰＳ情報がより少ない頻度で捕捉される、請求項１４記載の方法。
【請求項２０】
短期ＧＰＳ情報を比較することをさらに含み、前記無線電話（１０）の位置の変化が非常に小さいと判断されたときは、短期ＧＰＳ情報は少ない頻度で捕捉される、請求項１４記載の方法。
【請求項２１】
短期ＧＰＳ情報を比較することをさらに含み、前記無線電話（１０）の位置の変化が検出されると、短期ＧＰＳ情報がより多くの頻度で捕捉される、請求項１４記載の方法。
【請求項２２】
前記短期ＧＰＳ情報および長期ＧＰＳ情報の少なくとも１つを捕捉するステップは、前記長期ＧＰＳ情報だけを捕捉するステップを含む、請求項１３記載の方法。
【請求項２３】
前記無線通信トランシーバ（１６）が前記無線ネットワーク（１４）からの信号の信号強度測定を行い、前記受信信号強度測定の信号強度の急速な減少が検出されると、前記長期ＧＰＳ情報の捕捉が中止される、請求項２２記載の方法。
【請求項２４】
前記無線通信トランシーバ（１６）が前記無線ネットワーク（１４）からの信号の信号強度測定を行い、前記受信信号強度測定の信号強度の減少が検出されると、前記長期ＧＰＳ情報の捕捉が遅らされる、請求項２２記載の方法。
【請求項２５】
前記無線通信トランシーバ（１６）が前記無線ネットワーク（１４）からの信号の信号強度測定を行い、前記受信信号強度測定の信号強度がしきい値よりも低いと判断されると、前記長期ＧＰＳ情報の捕捉が遅らされる、請求項２２記載の方法。
【発明の詳細な説明】
【０００１】
（発明の分野）
本発明は、統合された全地球測位システム・ユニットを含む無線電話の分野に関し、特に、無線電話の電池エネルギーを節約する一方で、全地球測位システム（ＧＰＳ）の短期動作情報および長期動作情報を正しく維持するシステムに関する。
【０００２】
（発明の背景）
無線電話は、それの電池が電力を供給している間だけ使用可能である。したがって、電力効率は、あらゆる無線通信機器の全体品質および効用を決定する重要な要因である。そのため、電池技術およびインテリジェント電力消費の分野で多くの技術革新が行われている。
しかし、比較的最新の技術革新により、無線電話の電池に対する需要が大幅に高まった。すなわち、無線電話にＧＰＳユニットを組み込むことにより、システム・オペレータの性能が強力になるとともにエンド・ユーザの機能も高度になった。特に、システム・オペレータは、ＧＰＳを用いて呼の設定，呼の経路選択，課金および電話の追跡を行うことができる。また、エンドユーザは、ピンポイント・ナビゲーション・サービス，緊急ロケーション・サービスおよび他の多くの望ましい機能を利用することができる。
【０００３】
そのようなロケーション・サービスを必要に応じて提供するために、ＧＰＳ受信機は、高度な準備態勢を確立し維持して、複数のＧＰＳ衛星の迅速な捕捉および追跡をサポートしなければならない。これらの衛星の追跡から得られる多くの測定値は、位置，速度および時間（ＰＶＴ）の正確な推定の計算を必要とする。
最初の位置決定に続いて、ＧＰＳ受信機は、重要な操作データを定期的に更新することによってこの準備態勢を維持する。このデータは、短期ＧＰＳ情報および長期ＧＰＳ情報に単に分けることができる。短期ＧＰＳデータは、ＧＰＳの位置，速度および時間についての受信機の現在の推定値と、目に見える衛星の運転リストとを含む。そのような情報は、衛星を定期的に捕捉／再捕捉しＰＶＴ位置を計算することによって更新される。これらの更新の間隔は、ＧＰＳ受信機に用いられる技術に従って数秒から数分にわたる。
【０００４】
長期ＧＰＳ情報は、ＧＰＳ衛星のナビゲーション・メッセージで放送される天体暦および暦情報を含む。所定の衛星では、天体暦データは、その特定の衛星の軌道および原子時計ドリフトを記述する非常に正確なモデル化パラメータを含む。天体暦パラメータは、正確なＰＶＴ計算をサポートするために、各目に見える衛星について約２時間毎に更新される。暦データは、全ＧＰＳ配列についての精度のやや低いモデル化パラメータを含む。暦情報は、受信機の起動シーケンスに、また、受信機の見える領域への衛星の立上りを予測するのに、重要である。システムによるが、暦データは数日毎の更新は必要なだけである。
米国特許番号第５，３６５，４５０号は、ＧＰＳ信号の迅速な捕捉を助けるように企てたＧＰＳ受信機を含む無線データ通信装置を示す。
【０００５】
上述したように、システムまたはユーザの要求時に迅速かつ正確にＰＶＴ位置を生成するように受信機を準備するためには、短期ＧＰＳ情報および長期ＧＰＳ情報の両方が正しく更新され維持されなければならない。準備態勢はこのように重要であって、基本的な方法は、受信機を機械化して絶えずＧＰＳ衛星を追跡しこれらのデータを高速で更新することである。しかし、ナビゲーション・データの各捕捉，各追跡動作および各復調は、無線電話の貴重なエネルギー備蓄を消費する。
【０００６】
しかし、国際公開ＷＯ９８／０９１８１に教示されているように電池エネルギーを節約することが望ましい。電池エネルギーを節約するため、待機モードでＧＰＳ受信機を運転することが一般に行われている。すなわち、受信機は、短期ＧＰＳデータ保全および長期ＧＰＳデータ保全の固定された所定のスケジュールに従ってエネルギーを消費するようにする。厳密な更新スケジュールに従うとともに、いくつかの受信機は、スケジュールされたリフレッシュ活動を持続する。このようにして、計画された更新活動がうまく完了するまで、エネルギーは繰り返し消費される。
【０００７】
しかし、無線電話内に統合された場合には、そのような厳密で厳しいＧＰＳデータ・リフレッシュ方式は、端末の電池から大量のエネルギーを消費する。実際に、注意深い考慮および新しい技術なしでは、ＧＰＳ受信機によって消費されるエネルギーはベースライン電話のみによって消費されるエネルギーの数倍を超える可能性がある。
【０００８】
（発明の概要）
本発明による無線電話は、通信を確立し維持する無線通信トランシーバと、短期ＧＰＳ情報および長期ＧＰＳ情報を捕捉するように構成された全地球測位システム（ＧＰＳ）と、通信トランシーバおよびＧＰＳ受信機の両方に接続されたコントローラー装置とを備え、コントローラは、実際的な時間駆動スケジュールに従って種々の短期データおよび長期データをＧＰＳ受信機に捕捉させるように構成されている。また、コントローラは、無線電話の動作状態から得られる指標の固有の組に従ってそれのＧＰＳデータ保全スケジュールに知能的に適応するように機械化されている。
【０００９】
これらの指標は無線電話のコントローラ・ユニットによって連続的に監視され、ＧＰＳ信号受信に有利な時期とＧＰＳ信号受信に不利な時期とを区別する。電力は、満足なＧＰＳ信号受信をサポートする可能性がない期間中はＧＰＳ情報更新を遅らせたり取り消したり休止したりすることによって節約される。逆に、ＧＰＳ関連電力消費は、満足なＧＰＳ信号受信をサポートする可能性が高い期間にターゲットされる。また、これらの指標は、ＧＰＳ情報更新活動の必要性を判断するために使用される。こられの判断に依存して、電話のエネルギー備蓄を保存するために、種々の保全活動の更新間隔は長くされる。
【００１０】
短期情報の保全スケジュールに影響を与える指標は、通信チャンネルに関連する受信信号強度表示（ＲＳＳＩ）レベルと、このＲＳＳＩレベルの変化速度と、このＲＳＳＩレベルの変化の方向とを含むが、これらに限られるわけではない。短期データの保全スケジュールに影響を与える別の指標は、ページング・メッセージの受信と、一般キーパッド操作と、無線電話によって示される移動速度とを含む。長期ＧＰＳ情報の保全スケジュールに影響を与える指標は、通信チャンネルに関連するＲＳＳＩレベルと、このＲＳＳＩレベルの変化の速度／方向とを含む。
【００１１】
（詳細な説明）
以下の図面を参照して詳細な説明を読むことにより本発明の完全な理解が得られる。
図１は、一般に１０で示す本発明の例示の実施の態様による無線電話のブロック図である。本発明のこの例示の実施の態様は衛星電話に関して説明されるが、当業者に明らかなように、本発明はほとんど修正なしに地上無線電話に適用することができる。無線電話１０は、自分自身と通信衛星のネットワーク１４との間で無線信号を送受信するアンテナ１２を含む。また、アンテナ１２は、複数の全地球測位システム（ＧＰＳ）衛星１３から送信される無線信号を受信するのに用いられる。アンテナ１２は、二重フィルタ１５、すなわち、同じアンテナ１２または他の内蔵アンテナで無線通信トランシーバ１６およびＧＰＳ受信機１８が受信しまた無線通信トランシーバ１６が放送することのできる既知の装置に接続される。無線通信トランシーバ１６は、通信衛星から信号を受信し処理し、スピーカ２０（または、モデムやファクス・コネクタのような他の出力装置）に通信内容を送り、制御プロセッサ（コントローラ）２２へのメッセージを制御する。
【００１２】
制御プロセッサ２２はメモリ２４に記憶されたプログラムおよびデータを用いて制御メッセージに応じて無線電話１０の機能を制御し調整し、その結果、無線電話１０は衛星ネットワーク内で動作することができる。また、コントローラ２２はユーザ・インターフェース２６からの入力に応じて無線電話１０の動作を制御する。ユーザ・インターフェース２６は、ユーザ入力装置としてのキーパッド２８と、ユーザに情報を与えるディスプレイ３０とを含む。光または特殊目的のボタンのような他の装置がユーザ・インターフェース２６に含まれるかもしれない。コントローラ２２は、制御メッセージおよびユーザ入力に応じて、制御線３４，３６を介して無線通信トランシーバ１６およびＧＰＳ受信機１８の動作をそれぞれ制御する。
【００１３】
マイクロホン３２（または、データ入力装置）は、音声入力を受け、この入力をアナログ電気信号に変換し、アナログ電気信号を無線通信トランシーバ１６に送る。無線通信トランシーバ１６は、アナログ電気信号をディジタルデータに変換し、このデータを誤り検出および訂正情報とともに符号化し、コントローラ２２からの制御メッセージとこのデータを多重化する。次に、無線通信トランシーバ１６は、この組み合されたデータ・ストリームを変調し、得られた無線信号を二重フィルタ１５およびアンテナ１２を介して衛星通信ネットワークに放送する。
【００１４】
ＧＰＳ受信機１８は、複数のＧＰＳ衛星１３から信号を受信し、短期データおよび長期データをコントローラ２２に与える。コントローラ２２は、この分野で知られているように、これらの信号に関してユニットの位置を計算する。また、ＰＶＴ位置の迅速かつ正確な計算のために受信機を準備するために、短期データおよび長期データは定期的に更新されなければならない。このように、ＧＰＳ待機動作の分別のある組は無線電話１０の既存の待機方式に統合される。ＧＰＳ受信機の短期および長期情報更新スケジュールを正しく維持するには、これらの追加の待機動作が必要である。
【００１５】
ＧＰＳ受信機１８はスイッチ４０を介して電池５０に接続される。スイッチ４０は、制御プロセッサ２２によって制御され、通常は「開」である。電池５０はまた接地５４に接続される。もちろん、無線電話１０の他のブロックも電池５０に接続されるが、これらの接続はこの開示に関係がないので、それらは図示されていない。
【００１６】
前述したように、一般的な地理的位置（geo-location）アプリケーションは、通常は、ある規則的な固定スケジュールに従ってＧＰＳ関連情報を維持する。多くのハンドヘルド・アプリケーションでは、ＰＶＴ計算は毎秒行われ、天体暦データは１時間または２時間毎にリフレッシュされる。現在のＧＰＳチップ・セットはパワー・サイクリングの最小オーバーヘッド方法を導入している。したがって、ＧＰＳ受信機は、一般に、ＰＶＴ位置の間は電力をオン／オフして、電力を節約する。
【００１７】
本発明では、無線通信トランシーバ１６とＧＰＳ受信機１８と制御プロセッサ２２とが協動して、本来の通信機能のために電池エネルギーを保存しながら短期情報および長期情報の新しさを保持するように電池電力の効率的使用を提供する。このため、制御プロセッサ２２は無線通信トランシーバ１６とＧＰＳ受信機１８とに接続される。制御プロセッサ２２は、ＧＰＳ受信機１８を定期的に駆動してＧＰＳ情報を更新するように構成されている。制御プロセッサ２２は、スイッチ４０を閉じることによって電池５０をＧＰＳ受信機１８に接続し、短期データおよび長期データを捕捉した後にスイッチ４０を開くことによって電池５０を切り離すようにＧＰＳ受信機１８に命じる。
【００１８】
また、制御プロセッサ２２は、無線電話１０の動作状態に応じて、スケジュールを延ばしたり個々の測定を遅らせたり逆に情報を直ちに取得したりすることによってＧＰＳデータ保全スケジュールに影響を与える。さらに、無線電話の位置が変わっていないこと、または、無線電話が信号受信に良い条件にないことがかなり確かなときは、情報の取得を遅らせる。このように、ＧＰＳ情報更新が必要でないかまたは可能性がない時間の間は、貴重なエネルギーが節約される。
【００１９】
優れていることには、入力呼を示すページング・メッセージを無線通信トランシーバ１６が衛星通信システム１４から受信したとき、制御プロセッサ２２はＧＰＳ受信機１８に新しいＰＶＴデータ（短期情報）を捕捉させる。また、ユーザがキーパッド２８のあるキーを押すと、制御プロセッサ２２はＧＰＳ受信機１８に新しいＰＶＴデータ（短期情報）を捕捉させる。このようにして、無線電話１０が呼を行なったり受けようとするとき、または、ある地理的位置機能を開始しようとするとき、ＧＰＳ受信機１８は新しい短期情報更新を予想し実行する。
【００２０】
また、無線電話１０は、無線通信トランシーバ１６によってなされた通信衛星１４からの信号の信号強度測定に関連して情報保全スケジュールを変更するように構成されてもよい。信号強度が所定のしきい値よりも低くなった場合には、ＧＰＳ受信機が計画された保全活動を適時に行うことができることはありそうにない。したがって、データ更新の時間間隔は長くなる。また、信号強度が所定のしきい値よりも低いが、ＧＰＳ受信機１８が長期情報（すなわち、暦情報）を取得している場合には、制御プロセッサ２２は、ＧＰＳ受信機１８に測定を行うのを止めさせるとともにスイッチ４０を開いてＧＰＳ受信機１８を電池５０から切り離させる。
【００２１】
一方、信号強度が所定のしきい値よりも増加したときは、ユーザは電話をかけようとしていたり、ある地理的位置機能を開始しようとしている。または、情報を迅速に捕捉することができる信号受信の良好なエリアに無線電話が移動していることもある。どちらの場合でも、ＧＰＳ受信機が新しい情報を得ることが望ましいので、制御プロセッサ２２は、スイッチ４０を閉じ、制御信号強度がしきい値よりも大きくなると直ちに情報を取得するように、ＧＰＳ受信機１８に命じる。
【００２２】
また、制御プロセッサ２２が最新のＰＶＴ測定値の差を観測して無線電話の移動速度を決定することも利点である。無線電話が停止していたりゆっくり移動している場合には、データ捕捉の間隔は長くてよい。または、無線電話１０が高速で移動している場合には、ＰＶＴデータが一層頻繁に更新される必要があり、この場合には、間隔が短くなるであろう。
【００２３】
事象に応じて短期情報収集のスケジュールを変更する例示の方法の流れ図が図２に示されている。処理はボックス２００で始まり、そこでは、無線電話１０は待機状態にあって、無線電話１０はオンであるが現在は通信を行っていない。ボックス２０２では、無線電話はある更新間隔だけ待ち、ボックス２０４に進む。ボックス２０４では、ＧＰＳ受信機１８は短期情報を収集する。
【００２４】
決定ステップ２０６では、無線電話１０が静止しているかどうかが判定される。この判定は、前のＰＶＴ値を選択してそれらを比較することによってなされる。位置の変化がない場合には、ボックス２０２の短期情報収集間隔がボックス２０８で長くされ、処理はボックス２０２に戻る。ボックス２０８で何らかの最大更新間隔を与えてもよい。しかし、決定ステップ２０６で移動していることが観察された場合には、処理は直ちにボックス２０２に戻り、更新間隔は変えられない。
【００２５】
任意の時点でユーザがキーボードに何らかの操作を行うと、更新サイクルは割込みを受けて、直ちにボックス２１０に入る。ボックス２１０からボックス２１２に進み、そこで、短期収集間隔はある名目長さにリセットされる。このリセット動作はボックス２０４に直接進み、そこでは、ユーザが要求する呼、または、迅速かつ正確な位置決定を必要とする他のサービスを予想して、短期情報が直ちに収集される。処理は、前述したように、ボックス２０６から再開する。
【００２６】
同様に、任意の時点で通信ネットワークが無線電話にページング・メッセージを開始した場合には、通常の更新サイクルは割込みを受けて、直ちにボックス２１４に入る。ボックス２１４からボックス２１２に進み、そこで、短期情報収集間隔がある名目長さにリセットされる。このリセット動作からボックス２０４に直接進み、そこでは、ユーザが要求する呼、または、迅速かつ正確な位置決定を必要とする他のサービスを予想して、短期情報が直ちに収集される。処理は、前述したように、ボックス２０６から再開する。
【００２７】
図３は、信号強度事象に関する短期データ収集を示す流れ図である。処理はボックス３００で始まり、そこでは、信号強度が無線通信トランシーバ１６によって収集され記憶される。処理は決定ステップ３０２に進み、そこでは、信号強度が安定でかつしきい値よりも高いかどうかが判定される。そうであれば、処理はボックス３００に戻り、通常のスケジュールが維持される。
【００２８】
決定ステップ３０２で信号強度が安定でないかしきい値よりも高い場合には、処理は決定ステップ３０４に進み、そこでは、信号強度が安定でかつしきい値よりも低いかどうかが判定される。信号強度が安定でしきい値よりも低い場合には、短期情報収集が成功しないか許容できないほど長い時間がかかる可能性がある。したがって、処理はボックス３０６に進み、そこでは、短期情報収集の速度が下げられる。その後、処理はボックス３００に戻る。
【００２９】
決定ステップ３０４で信号強度が安定でないかしきい値よりも低い場合には、処理は決定ステップ３０８に進み、そこでは、信号強度が増加しているかどうかが判定される。信号強度が増加している場合には、短期情報が直ちに収集される。そのような信号強度の増加は、電話がユーザの呼のために準備中であることを示す。信号強度が増加していない場合には、処理はボックス３００に戻り、そこでは、通常のスケジュールが維持される。
【００３０】
図４は、長期データ収集に影響を与える信号強度測定の流れ図が示されている。処理はボックス４００で始まり、そこでは、信号強度測定値が無線通信トランシーバ１６によって取得され記憶される。処理は決定ステップ４０２に進み、そこでは、信号強度が安定でかつしきい値よりも低いかどうかが判定される。そうであれば、処理は活動ブロック４０４に進み、そこでは、長期情報の収集が遅らされる。通信ネットワークに関連する信号強度値によって示された成功の低確率によりこの収集活動が遅らされる。処理はボックス４００に戻る。
【００３１】
決定ステップ４０２で信号強度が変化していたりしきい値よりも高い場合には、処理は決定ステップ４０６に進み、そこでは、信号強度が減少しているかどうかが判定される。信号強度が減少していない場合には、処理はボックス４００に戻り、そこでは、通常の長期データ収集周期が使用される。
【００３２】
決定ステップ４０６で信号強度が減少している場合には、処理は決定ステップ４０８に進み、そこでは、信号強度が急速に減少しているかどうかが判定される。信号強度が急速に減少していない場合には、処理はボックス４１０に進み、そこでは、長期情報の収集が遅らされる。信号強度が急速に減少している場合には、処理は決定ブロック４１２に進み、そこでは、長期データが現在収集されているかどうかが判定される。そうであれば、処理はボックス４１４に進み、そこでは、データ収集が終了される。そのような終了は、成功の可能性が急速に減少しているデータ収集タスクに無線電話が貴重なエネルギーを浪費することを防ぐ。そうでなければ、処理は活動ボックス４１６に進み、そこでは、長期情報の収集が遅らされる。処理は、ボックス４１４およびボックス４１６の両方からボックス４００に戻る。
【００３３】
理解されるように、上に説明した実施の態様は本発明の原理を示すものであり、当業者は本発明の範囲から逸れずに多くの変更を考案することができる。したがって、そのような変更は特許請求の範囲に含まれるものとする。
【図面の簡単な説明】
【図１】  本発明の例示の実施の形態を用いた衛星電話システムのブロック図である。
【図２】  本発明の例示の方法による適応短期情報収集を示す流れ図である。
【図３】  本発明の例示の方法による適応短期情報収集を示す流れ図である。
【図４】  本発明の例示の方法による適応長期情報収集を示す流れ図である。
【図１】
0003834680.tif 000002
【図２】
0003834680.tif 000003
【図３】
0003834680.tif 000004
【図４】
0003834680.tif 000005